(57)【要約】【課題】簡単な構造によって水中渦の発生を確実に防止することができるとともに、ポンプ設置水槽内残存水の水抜きやポンプ設置水槽に対する土木工事など不要にして、ポンプの運転休止時間を大幅に短縮し得るポンプの渦防止装置を提供する。【解決手段】ポンプＰは、その下向きの吸込ベルマウス（吸込口）６の直下に十字状のバッフル７を取付けた状態でポンプ設置水槽５の奥部であるポンプ設置域１に吊り下げて設置されている。また、吸込ベルマウス（吸込口）６の直下におけるポンプ設置域１の後壁２に対向する部位、すなわち、θ＝１６０゜で示される後壁２に対向する領域には、投影平面形状が略半円形をなして下向きにのびるパンチングメタル製の水中渦発生防止部材８を設ける。【選択図】        図１
2004270479.tif 000002
【特許請求の範囲】
【請求項１】
ポンプ吸込口の吸込方向の直上流位置に水の旋回流に干渉して該旋回流が水中渦に発達するのを防止するとともに、前記吸込口への水の流れを許容する水中渦発生防止部材が設けられていることを特徴とするポンプの渦防止装置。
【発明の詳細な説明】
【０００１】
【発明の属する技術分野】
本発明は、ポンプの渦防止装置に関する。
【０００２】
【従来の技術】
従来より、図５および図６に示したポンプ設置域１にポンプＰを設置したポンプ場において、ポンプＰを運転するとポンプＰの後側域に矢印Ａで示す水の旋回流が発生する。これら旋回流Ａは、その中心部分の圧力を低下させながら発達して水中渦３，３を発生させる。これらの水中渦３，３がポンプＰに吸込まれると、ポンプＰに激しい振動や大きい騒音が発生してポンプ運転機能障害を引き起こすことになる。また、水中渦３，３の発生は、ポンプＰの更新時において、その排水量を増大するために、排水能力の大きいポンプＰを設置することにより、ポンプ設置水槽５内の流速が高く（速く）なることによってより顕著になる。
【０００３】
そこで、図７および図８に示すように、ポンプＰの真後方の後壁２に垂直方向にのびる凸部４を突設することによって、水中渦３，３の発生を防止するようにしたポンプの渦防止装置がある（たとえば、特許文献１参照。）。
【０００４】
【特許文献１】
実開平６−６７８９９号公報（図３、図４、図５、図６）
【０００５】
【発明が解決しようとする課題】
図７および図８で説明した従来の渦防止装置では、凸部４が設けられているポンプＰ直後方の狭い領域における水の旋回を妨げて、この狭い領域における圧力低下を防ぐことで旋回流が水中渦３，３に発達するのを防止できる。しかし、凸部４の両側、つまり、ポンプＰの斜め後方の広い領域における水の旋回を妨げて、この広い領域における圧力低下を防ぐことで、水中渦３，３の発生を防止することは期待できない。そのために、これらの水中渦３，３がポンプＰに吸込まれて、ポンプＰに激しい振動や大きい騒音が発生してポンプ運転機能障害を引き起こすことになる。また、凸部４は、土木構造物であるポンプ設置水槽５に対する土木工事によって突設されることになるので、ポンプＰの更新時においては、凸部４を突設する工事の前段でポンプ設置水槽５内残存水の水抜きが必要であるばかりか、凸部４を突設する工事期間中は長時間にわたってポンプＰの運転を休止しなければならない難点がある。
【０００６】
本発明は、このような事情を考慮してなされたもので、簡単な構造によって水中渦の発生を確実に防止することができるとともに、ポンプ設置水槽内残存水の水抜きやポンプ設置水槽に対する土木工事など不要にして、ポンプの運転休止時間を大幅に短縮し得るポンプの渦防止装置を提供することを目的としている。
【０００７】
【課題を解決するための手段】
前記目的を達成するために、本発明に係るポンプの渦防止装置は、ポンプ吸込口の吸込方向の直上流位置に水の旋回流に干渉して該旋回流が水中渦に発達するのを防止するとともに、前記吸込口への水の流れを許容する水中渦発生防止部材が設けられていることを特徴としている。
【０００８】
本発明によれば、ポンプの運転によって旋回流が発生しても、この旋回流は水中渦に発達してポンプの吸込口から吸い込まれる前段で、該ポンプ吸込口の吸込方向の直上流位置に設けられている水中渦発生防止部材に干渉する。これにより、旋回流は水中渦に発達するのを妨げられた状態で吸込口からポンプ内に吸い込まれることになる。また、ポンプの更新に際しては、水中渦発生防止部材を設けたポンプをポンプ設置水槽に設置するだけでよい。
【０００９】
【発明の実施の形態】
以下、本発明の一実施の形態を図面に基づいて説明する。図１は本発明を適用したポンプ設置水槽の平面図、図２は図１のＸーＸ線断面図、図３は図１のＹ−Ｙ矢視図である。なお、図５〜図８で説明した従来例と同一もしくは相当部分には、同一符号を付して説明する。
【００１０】
図１〜図３において、ポンプＰは、その下向きの吸込ベルマウス（吸込口）６の直下に十字状のバッフル７を取付けた状態でポンプ設置水槽５の奥部であるポンプ設置域１に吊り下げて設置されている。また、吸込ベルマウス（吸込口）６の直下におけるポンプ設置域１の後壁２に対向する部位、すなわち、図１においてθ＝１６０゜で示される後壁２に対向する領域には、平面形状が略半円形をなして下向きにのびる底無しパンチングメタル製の水中渦発生防止部材８をバッフル７の外端に配設してある。なお、水中渦発生防止部材８は、たとえば、十字状のバッフル７の外端面に対して図示していない複数本の締結ボルトで締結することにより設けることができる。
【００１１】
前記構成において、ポンプＰを運転するとポンプＰの後側域や側域に矢印Ａで示す水の旋回流が発生する。このように旋回流が発生しても、この旋回流（矢印Ａ）は水中渦に発達してポンプＰの吸込ベルマウス６から吸い込まれる前段で該ポンプＰの吸込ベルマウス６の吸込方向の直上流位置に設けられているパンチングメタル製の水中渦発生防止部材８に干渉する。すなわち、旋回流（矢印Ａ）は水中渦に発達する前段でパンチングメタル製の水中渦発生防止部材８の多数の透孔部８Ａ，８Ａ…を通過することになり、多数の透孔部８Ａ，８Ａ…を通過する際に整流されて旋回成分が弱められ、水中渦に発達するのが妨げられた状態で吸込ベルマウス６からポンプＰ内に吸い込まれるので、実質的に水中渦がポンプＰ内に吸い込まれるのを確実に防止できる。したがって、ポンプＰに激しい振動や大きい騒音が発生してポンプ運転機能障害を引き起こすような事態は確実に回避される。
【００１２】
このように、旋回流（矢印Ａ）が水中渦に発達するのを確実に防止できることにより、たとえば、ポンプＰの更新時においてその排水量を増大することでポンプＰを設置しているポンプ設置水槽５内の流速が高く（速く）なっても、旋回流（矢印Ａ）が水中渦に発達するのを妨げて、水中渦がポンプＰ内に吸い込まれるのを確実に防止できる。また、排水量の大きいポンプＰの更新に際して、従来なされていたポンプ設置水槽５内残存水の水抜きや、土木構造物であるポンプ設置水槽５に対して凸部４を突設する土木工事などが不要になり、ポンプＰの運転休止時間を大幅に短縮することができる。
【００１３】
前記実施の形態では、図１においてθ＝１６０゜で示される後壁２に対向する領域には、投影平面形状が略半円形をなして下向きにのびるパンチングメタル製の水中渦発生防止部材８を設けた構成で説明しているが、本発明は、前記実施の形態にのみ限定されるものではない。すなわち、図４に示すように、最小θ１＝９０゜〜最大θ２＝２７０゜で示す範囲であれば、前記実施の形態と同様に有効に水中渦の発生が防止できる。さらに、パンチングメタル製の水中渦発生防止部材８を使用しているが、パンチングメタルに代えて金属製のネットまたは格子状に形成した金属製品で水中渦発生防止部材８を構成してもよい。
【００１４】
【発明の効果】
以上説明したように、本発明に係るポンプの渦防止装置は構成されているので、以下のような格別の効果を奏する。
【００１５】
すなわち、ポンプの吸込口の直上流位置に水の旋回流に干渉して該旋回流が水中渦に発達するのを防止する水中渦発生防止部材を設けた簡単な構造によって、ポンプの運転によって発生した旋回流が水中渦に発達するのを妨げ、水中渦がポンプ内に吸い込まれるのを確実に防止できるので、ポンプに激しい振動や大きい騒音が発生してポンプ運転機能障害を引き起こすような事態を確実に回避することができる。さらに、排水量の大きいポンプの更新に際して、従来なされていたポンプ設置水槽内残存水の水抜きや土木工事などが不要になり、ポンプの運転休止時間を大幅に短縮することができる。
【図面の簡単な説明】
【図１】本発明を適用したポンプ設置水槽の一実施の形態を示す平面図である。
【図２】図１のＸーＸ線断面図である。
【図３】図１のＹ−Ｙ矢視図である。
【図４】水中渦発生防止部材の変形例を示す説明平面図である。
【図５】第１従来例の平面図である。
【図６】図５のイーイ線断面図である。
【図７】第２従来例の平面図である。
【図８】図７のウーウ線断面図である。
【符号の説明】
６  ポンプの吸込ベルマウス（ポンプの吸込口）
８  水中渦発生防止部材
Ｐ  ポンプ
【図１】
2004270479.tif 000003
【図２】
2004270479.tif 000004
【図３】
2004270479.tif 000005
【図４】
2004270479.tif 000006
【図５】
2004270479.tif 000007
【図６】
2004270479.tif 000008
【図７】
2004270479.tif 000009
【図８】
2004270479.tif 000010